(57)【要約】【課題】３次元ＹＣ分離回路のための動き検出において、必要なメモリの容量を削減しつつ、検出性能を下げないようにする。動き検出を実現する。【解決手段】複合カラーテレビジョン信号（ＶＳ０）ならびにその遅延信号（ＶＳ１）の差分（１１）を演算し、該差分から低域成分及び色副搬送波周波数付近の周波数成分を抽出し（１２、１３）、これらを合成して動き検出信号を生成する（１５）。複合カラーテレビジョン信号（ＶＳ０）及びその遅延信号（ＶＳ１，ＶＳ１）から、各画素の信号に動きが少ないほど又は検出された色副搬送波周波数付近の輝度信号で構成される斜め縞成分が大きいほど大きい高域輝度成分を抽出し（１４）、抽出された高域輝度成分が大きいときに、動き検出信号を小さくする。【選択図】図１
2007158991.tif 000002
【特許請求の範囲】
【請求項１】
複合カラーテレビジョン信号ならびに上記複合カラーテレビジョン信号を所定のフレーム期間だけ遅延した遅延信号を入力とし、上記複合カラーテレビジョン信号と上記遅延信号の差分を演算し、該差分を表す差分信号を出力する差分演算回路と、
上記差分演算回路から出力される差分信号から、色副搬送波周波数以下の低域成分を抽出する低域通過フィルタと、
上記差分演算回路から出力される差分信号から色副搬送波周波数付近の周波数成分を抽出する帯域通過フィルタと、
上記複合カラーテレビジョン信号と上記遅延信号とを入力とし、高域輝度成分を抽出する高域輝度成分抽出回路と、
上記低域通過フィルタの出力信号と上記帯域通過フィルタの出力信号を合成して動き検出信号を出力する動き検出信号生成回路とを備え、
上記動き検出信号生成回路は、上記高域輝度成分抽出回路で抽出された高域輝度成分に基づき、上記動き検出信号の大きさを変える
ことを特徴とする動き検出回路。
【請求項２】
上記高域輝度成分抽出回路は、各画素の信号に動きが少ないほど又は検出された色副搬送波周波数付近の輝度信号で構成される斜め縞成分が大きいほど大きい信号を出力するものであることを特徴とする請求項１に記載の動き検出回路。
【請求項３】
上記高域輝度成分抽出回路が、
フレーム間の輝度信号の静止を検出するフレーム静止判定回路と、
上記色副搬送波周波数付近の輝度信号で構成される斜め縞成分を検出する色副搬送波周波数成分検出回路と、
上記フレーム静止判定回路の出力信号と上記色副搬送波周波数成分検出回路の出力信号を合成する合成回路とを備え、
上記合成回路は、上記フレーム静止判定回路の出力信号と上記色副搬送波周波数成分検出回路の出力信号を合成して上記動き検出信号を生成することを特徴とする請求項１に記載の動き検出回路。
【請求項４】
上記合成回路は、上記フレーム静止判定回路の出力信号と上記色副搬送波周波数成分検出回路の出力信号のいずれかが比較的大きい値の信号であるときに、上記動き検出信号を比較的大きい値にすることを特徴とする請求項３に記載の動き検出回路。
【請求項５】
上記合成回路は、上記フレーム間静止判定回路の出力と、上記色副搬送波周波数成分検出回路の出力のうちの最大値を選択して出力することを特徴とする請求項３に記載の動き検出回路。
【請求項６】
上記合成回路は、上記フレーム間静止判定回路の出力と、上記色副搬送波周波数成分検出回路の出力を加算して出力することを特徴とする請求項３に記載の動き検出回路。
【請求項７】
上記動き検出信号出力回路は、上記低域通過フィルタの出力と、上記帯域通過フィルタの出力とを入力とし、上記高域輝度成分抽出手段の出力信号が所定の閾値以下で、上記２つの入力信号の値どちらかが０より大きい場合、その出力信号が０より大きい値を持つよう合成し、上記高域輝度成分抽出手段の出力信号が上記の閾値より大きい値を持つ場合には、その出力信号の値を、上記の２つの入力信号を上記のようにして合成することで得られる値よりも小さい値、または０とすることを特徴とする請求項１に記載の動き検出回路。
【請求項８】
上記動き検出信号生成回路は、
上記高域輝度成分抽出手段の出力信号が上記の閾値以下で、上記低域通過フィルタの出力信号の値及び上記帯域通過フィルタの出力信号の値のどちらかが０より大きい場合、上記値のうちの大きい方と同じ値を持つ信号を出力し、
上記高域輝度成分抽出手段の出力信号が上記の閾値より大きい値を持ち、上記低域通過フィルタの出力信号の値及び上記帯域通過フィルタの出力信号の値のどちらかが０より大きい場合、上記値のうちの大きい方と同じ値よりも小さい値を持ち、または値が０である信号を出力する
ことを特徴とする請求項１に記載の動き検出回路。
【請求項９】
上記動き検出信号出力回路は、上記低域通過フィルタの出力と、上記帯域通過フィルタの出力のうちの大きい方を選択して出力する最大値回路と、
上記最大値回路の出力を上記高域輝度成分抽出手段の出力信号に応じて変更する手段と
を有することを特徴とする請求項１に記載の動き検出回路。
【請求項１０】
上記動き検出信号出力回路は、上記低域通過フィルタの出力と、上記帯域通過フィルタの出力を加算する加算回路と、
上記加算回路の出力を、上記高域輝度成分抽出手段の出力信号に応じて変更する手段と
を有することを特徴とする請求項１に記載の動き検出回路。
【請求項１１】
上記フレーム静止判定回路が、
各画素について、複合カラーテレビジョン信号と上記遅延信号の差分値の絶対値を求める差分絶対値演算手段と、
各画素について、上記差分絶対値演算手段で求められる差分値の絶対値が比較的大きいときに比較的小さな値となる信号を出力する判定手段と、
上記判定手段の出力中の孤立点を除去する孤立点除去手段と
を備えることを特徴とする請求項３に記載の動き検出回路。
【請求項１２】
上記色副搬送波周波数成分検出回路が、
上記複合カラーテレビジョン信号に対して水平方向ならびに垂直方向にフィルタ処理を行なうことで色副搬送波周波数成分を抽出する水平・垂直帯域通過フィルタと、
上記水平・垂直帯域通過フィルタの出力の絶対値を求める絶対値化手段と、
上記絶対値化手段の出力を水平方向に拡大する水平拡大手段とを備えることを特徴とする請求項３に記載の動き検出回路。
【請求項１３】
上記遅延信号が２フレーム期間遅延した信号であり、
上記高域輝度成分抽出回路が、上記遅延信号として、上記２フレーム期間遅延した信号に加えて１フレーム期間遅延した信号をも入力として、上記複合カラーテレビジョン信号、上記１フレーム期間遅延した信号、及び上記２フレーム期間遅延した信号に基づいて上記高域輝度成分を抽出し、
上記差分絶対値演算手段が、
上記複合カラーテレビジョン信号と上記１フレーム期間遅延した信号の差分値の絶対値を求める第１の差分絶対値演算回路と、
上記複合カラーテレビジョン信号と上記２フレーム期間遅延した信号の差分値の絶対値を求める第２の差分絶対値演算回路と、
上記１フレーム期間遅延した信号と上記２フレーム期間遅延した信号の差分値の絶対値を求める第３の差分絶対値演算回路とを備え、
上記判定手段が、
上記第１の差分絶対値演算回路の出力と、上記第２の差分絶対値演算回路の出力と、上記第３の差分絶対値演算回路の出力のうちの最大値を求める最大値回路と、
各画素について、上記最大値回路の出力が比較的大きいときに比較的小さな値となる信号を出力する比較回路とを備える
ことを特徴とする請求項１１に記載の動き検出回路。
【請求項１４】
上記遅延信号が２フレーム期間遅延した信号であり、
上記高域輝度成分抽出回路が、上記遅延信号として、上記２フレーム期間遅延した信号に加えて１フレーム期間遅延した信号をも入力として、上記複合カラーテレビジョン信号、上記１フレーム期間遅延した信号、及び上記２フレーム期間遅延した信号に基づいて上記高域輝度成分を抽出し、
上記差分絶対値演算手段が、
上記複合カラーテレビジョン信号と上記１フレーム期間遅延した信号の差分値の絶対値を求める第１の差分絶対値演算回路と、
上記複合カラーテレビジョン信号と上記２フレーム期間遅延した信号の差分値の絶対値を求める第２の差分絶対値演算回路と、
上記１フレーム期間遅延した信号と上記２フレーム期間遅延した信号の差分値の絶対値を求める第３の差分絶対値演算回路とを備え、
上記第１の差分絶対値演算回路の出力中の孤立点を除去する第１の孤立点除去回路と、
上記第２の差分絶対値演算回路の出力中の孤立点を除去する第２の孤立点除去回路と、
上記第３の差分絶対値演算回路の出力中の孤立点を除去する第３の孤立点除去回路と、
上記判定手段が、
上記第１の孤立点除去回路の出力と、上記第２の孤立点除去回路の出力と、上記第３の孤立点除去回路の出力のうちの最大値を求める最大値回路と、
各画素について、上記最大値回路の出力が比較的大きいときに比較的小さな値となる信号を出力する比較回路とを備える
ことを特徴とする請求項１１に記載の動き検出回路。
【請求項１５】
上記判定回路は、上記差分絶対値演算手段の出力信号が所定の閾値より小さいときに、比較的大きい値となり、上記差分絶対値演算手段の出力信号が上記の閾値以上であれば、比較的小さい値となる信号を出力する
ことを特徴とする請求項１１に記載の動き検出回路。
【請求項１６】
上記判定回路は、３値以上の信号を出力するものであり、
上記差分絶対値演算手段の出力が所定の閾値以上では、その出力が“０”であり、上記差分絶対値演算手段の出力が上記の閾値より小さい範囲では、その出力が、上記差分絶対値演算手段の出力と上記の閾値との差に応じた大きさを持つ
ことを特徴とする請求項１５に記載の動き検出回路。
【請求項１７】
請求項１に記載の動き検出回路と、
上記複合カラーテレビジョン信号を入力し、上記複合カラーテレビジョン信号を上記所定のフレーム期間だけ遅延して出力する遅延回路と、
フィールド内の信号で第１の色信号を抽出する２次元色信号抽出回路と、
フレーム相関を利用して第２の色信号を抽出する３次元色信号抽出回路と、
上記動き検出回路から出力される動き検出信号に基づき、上記２次元色信号抽出回路から出力される色信号と上記３次元色信号抽出回路から出力される色信号とを混合して第３の色信号を出力する混合手段と、
上記複合カラーテレビジョン信号と、上記第１及び第２色信号又は上記第３の色信号とに基づいて輝度信号を抽出する輝度信号抽出回路とを備え、
上記動き検出回路が、上記遅延回路の出力を上記所定のフレーム期間だけ遅延した遅延信号として受けることを特徴とする
輝度信号色信号分離回路。
【発明の詳細な説明】
【技術分野】
【０００１】
本発明は、動き検出回路及び該動き検出回路を備えた適応型３次元輝度信号色信号分離回路に関する。
【背景技術】
【０００２】
従来の動き検出回路は大容量のメモリを必要としていた。例えば、ＮＴＳＣ方式の３次元ＹＣ分離回路においては２フレーム分のメモリを必要とし、ＰＡＬ方式の３次元ＹＣ分離回路においては４フレーム分のメモリを用いたものが一般的である。システムのコストを下げるため、必要なメモリの規模を削減することが望まれる。
【０００３】
メモリ規模を削減した従来技術の例として、入力されたＮＴＳＣ複合映像信号を１フレーム遅延させるための第１のフレームメモリと、第１のフレームメモリの出力信号をさらに１フレーム遅延させるための第２のフレームメモリとを備え、第２のフレームメモリへの書き込みに当たり、第１のフレームメモリの出力信号のうち、Ｒ−Ｙ信号とＢ−Ｙ信号をライン毎に交互に書き込むことによって、第２のフレームメモリの容量を半減させたものがある（例えば、特許文献１参照）。また、複合映像信号のライン間の差分と所定の閾値の比較からクロマ相関を検出し、１フレーム期間遅延した信号のライン間の差分と所定の閾値の比較からクロマ相関を検出し、それらの差分を演算し、動き検出信号とする一方、フレーム間の差分が所定の閾値より小さいときは、強制的に動き検出信号をゼロにするものであり、このような構成を用いることにより、１フレーム分のメモリで３次元ＹＣ分離を行うことを可能にした技術も知られている（例えば、特許文献２参照）。
【０００４】
【特許文献１】特開平５−２７６５３７号公報（第５頁、第１図）
【特許文献２】特開平９−４６７２６号公報（第１４頁、第１図）
【発明の開示】
【発明が解決しようとする課題】
【０００５】
しかるに、特許文献１に記載の技術では、上記の説明から分かるように、また特にその第１図に示されるように、合わせて１．５フレーム分のメモリを必要とする。
一方、特許文献２に記載の技術では、メモリの容量は１フレーム分で良いが、クロマ相関により、動き検出を行っているため、検出性能が低いと言う問題があった。
【０００６】
本発明は、３次元ＹＣ分離回路を実現するにあたって必要な大容量のメモリを削減しつつ、検出性能を下げない動き検出を実現することである。
【課題を解決するための手段】
【０００７】
本発明は、
複合カラーテレビジョン信号ならびに上記複合カラーテレビジョン信号を所定のフレーム期間だけ遅延した遅延信号を入力とし、上記複合カラーテレビジョン信号と上記遅延信号の差分を演算し、該差分を表す差分信号を出力する差分演算回路と、
上記差分演算回路から出力される差分信号から、色副搬送波周波数以下の低域成分を抽出する低域通過フィルタと、
上記差分演算回路から出力される差分信号から色副搬送波周波数付近の周波数成分を抽出する帯域通過フィルタと、
上記複合カラーテレビジョン信号と上記遅延信号とを入力とし、高域輝度成分を抽出する高域輝度成分抽出回路と、
上記低域通過フィルタの出力信号と上記帯域通過フィルタの出力信号を合成して動き検出信号を出力する動き検出信号生成回路とを備え、
上記動き検出信号生成回路は、上記高域輝度成分抽出回路で抽出された高域輝度成分に基づき、上記動き検出信号の大きさを変える
ことを特徴とする動き検出回路を提供する。
【発明の効果】
【０００８】
本発明の動き検出回路によれば、高域輝度成分を抽出し、高域輝度成分に基づいて、動き検出結果を出力するようにしたので、ＮＴＳＣ方式おいては１フレーム分のメモリ、ＰＡＬ方式においては２フレーム分というように、通常用いる半分の容量のメモリで動き検出を行うことができ、しかも、クロスカラーやドット妨害の少ない検出をおこなうことができる。
【発明を実施するための最良の形態】
【０００９】
実施の形態１．
図１はこの発明の実施の形態１の動き検出回路１０を示すブロック図である。図示の動き検出回路１０は、ＮＴＳＣ複合カラーテレビジョン信号の動きを検出するものであり、差分演算回路１１と、低域通過フィルタ（ＬＰＦ）１２と、帯域通過フィルタ（ＢＰＦ）１３と、高域輝度成分抽出回路１４と、動き検出信号生成回路１５とを有する。
【００１０】
差分演算回路１１は、複合カラーテレビジョン信号ＶＳ０と、複合カラーテレビジョン信号を１フレーム期間遅延した信号（１フレーム遅延信号）ＶＳ１とを入力とし、複合カラーテレビジョン信号（「０フレーム遅延信号」と呼ぶこともある）ＶＳ０と１フレーム遅延信号ＶＳ１の差分を演算する。ＬＰＦ１２は、差分演算回路１１から出力される差分信号から低域成分（色副搬送波周波数よりも低い周波数領域の成分）を抽出する。ＢＰＦ１３は、差分演算回路１１から出力される差分信号から色副搬送波周波数成分を抽出する。
高域輝度成分抽出回路１４は、複合カラーテレビジョン信号ＶＳ０と遅延信号ＶＳ１を入力とし、高域輝度成分を抽出する。
動き検出信号生成回路１５は、ＬＰＦ１２の出力信号とＢＰＦ１３の出力信号を受け、かつ高域輝度成分抽出回路１４の出力に基づいて、動き検出信号ＭＦを生成し、出力する。
【００１１】
図２は図１の動き検出回路１０における高域輝度成分抽出回路１４の一例を示すブロック図である。高域輝度成分抽出回路１４は、フレーム間静止判定回路４０と、色副搬送波周波数成分検出回路５０と、合成回路５５とを有する。
フレーム間静止判定回路４０は、差分演算回路４１と、絶対値回路４２と、判定回路４３と、孤立点除去回路４４とを有する。
色副搬送波周波数成分検出回路５０は、水平・垂直帯域通過フィルタ５１と、絶対値回路５２と、水平拡大回路５３とを有する。
合成回路５５は、フレーム静止判定回路４０の出力信号と色副搬送波周波数成分検出回路５０の出力信号を合成する。
【００１２】
実施の形態１における動き検出回路１０においては、上記複合カラーテレビジョン信号ＶＳ０及び１フレーム遅延信号ＶＳ１が入力され、差分演算回路１１および高域輝度成分抽出回路１４に入力される。差分演算回路１１の出力は、ＬＰＦ１２と、ＢＰＦ１３に入力される。ＬＰＦ１２の出力信号とＢＰＦ１３の出力信号は、動き成分として動き検出信号生成回路１５に入力され、動き検出信号生成回路１５では、ＬＰＦ１２の出力信号ＶＬとＢＰＦ１３の出力信号ＶＢを入力とし、高域輝度成分抽出回路１４の出力信号ＨＹがある閾値ＨＹｔ以下であり、その２つの入力信号（ＬＰＦ１２の出力及びＢＰＦ１３の出力）ＶＬ及びＶＢの値α及びβのどちらかが０より大きい（α＞０又はβ＞０）場合、その出力信号ＭＦが０より大きい値（γ＞０）を持つよう合成し、高域輝度成分抽出回路１４の出力信号ＨＹが上記の閾値ＨＹｔより大きい値を持つ場合には、その出力信号ＭＦの値を、上記の２つの入力信号ＶＬ、ＶＢの値を上記のようにして合成することで得られる値（γ）よりも小さい値（δ＜γ）、例えば１より小さい係数ｋｒを掛けることにより得られる値（δ＝ｋｒ×γ）、または０とする。
【００１３】
動き検出信号生成回路１５は、例えば、図３に示すように、ＬＰＦ１２の出力信号ＶＬと、ＢＰＦ１３の出力信号ＶＢのうちの大きい方（ＭＡＸ（ＶＬ，ＶＢ））を選択して出力する最大値回路１６と、高域輝度成分抽出回路１４の出力信号ＨＹを所定の閾値ＨＹｔと比較して、比較の結果に応じた係数ｋａを出力する比較回路１７と、最大値回路１６の出力に、比較回路１７からの係数ｋａを掛ける乗算器１８とを有する。
高域輝度成分抽出回路１４の出力信号ＨＹが閾値ＨＹｔ以下のときは、比較回路１７から出力される係数ｋａは「１」であり、乗算器１８の出力は、最大値回路１６の出力に等しい。
高域輝度成分抽出回路１４の出力信号ＨＹが閾値ＨＹｔよりも大きいときは、比較回路１７から出力される係数ｋａは「１」より小さい値ｋｒであり、乗算器１８の出力は、最大値回路１１の出力に係数ｋｒを掛けた値となる。係数ｋｒを「０」にすれば、乗算器１８の出力が「０」になる。このように比較回路１７と乗算器１８とで、高域輝度成分抽出回路１４の出力信号ＨＹに応じて最大値回路１６の出力を変更する手段が構成されている。
高域輝度成分抽出回路１４の出力信号ＨＹが１ビットの信号である場合には、該信号ＨＹが「０」のときには、比較回路１７から出力される係数ｋａを「１」とし、該信号ＨＹが「１」のときには、比較回路１７から出力される係数ｋａを１より小さい値ｋｒとする。ｋｒを「０」としても良い。
【００１４】
動き検出信号生成回路１５の出力信号ＭＦは、動き検出回路１０の出力信号として出力される。
【００１５】
高域輝度成分抽出回路１４には、複合カラーテレビジョン信号ＶＳ０及び１フレーム期間遅延した信号ＶＳ１が入力され、これらの入力信号ＶＳ０および１フレーム遅延信号ＶＳ１は、フレーム間静止判定回路４０と、色副搬送波周波数成分検出回路５０に入力される。
【００１６】
フレーム間静止判定回路４０では、差分演算回路４１において、２入力信号の差分値を算出し、該差分値を絶対値回路４２に出力する。絶対値回路４２では、入力信号（差分演算回路４１の出力）を絶対値化する。差分演算回路４１と絶対値回路４２とで、２入力信号の差分値の絶対値を算出する差分絶対値演算回路４６が構成されている。
【００１７】
差分絶対値演算回路４６の出力（絶対値回路４２の出力信号）ＤＺは、判定回路４３に供給される。判定回路４３では、差分絶対値演算回路４６の出力信号ＤＺが所定の閾値ＤＺｔより小さいときに、比較的大きいレベル（判定回路４３の出力信号ＪＧが取り得る値の範囲の中で大きい値、例えば所定の閾値よりも大きい値）となり、絶対値演算手段４６の出力信号ＤＺが上記の閾値以上であれば、比較的小さいレベル（判定回路４３の出力信号ＪＧが取り得る値の範囲の中で小さい値、例えば上記の閾値よりも小さい値）となる信号ＪＧを出力する。
【００１８】
孤立点除去回路４４は、判定回路４３の出力中の孤立点を除去する。例えば、孤立点除去回路４４は、判定回路４３から出力される各画素の信号（注目画素の信号）ＪＧが比較的大きなレベルの信号であっても、当該注目画素の水平方向における前及び後の画素の信号が比較的小さいレベルの信号であるときは、当該注目画素の信号を、上記比較的小さいレベルに変更する。
孤立点除去回路４４の出力信号ＳＦは、フレーム間静止判定回路４０の出力信号として合成回路５５に出力される。
【００１９】
色副搬送波周波数成分検出回路５０では、水平・垂直帯域通過フィルタ５１において入力信号を水平方向ならびに垂直方向にフィルタ処理を行ない、絶対値回路５２に出力する。
絶対値回路５２では、信号を絶対値化し、水平拡大回路５３に出力する。
【００２０】
水平拡大回路５３は、絶対値回路５２の出力を水平方向に拡大する。例えば、水平拡大回路５３は、絶対値回路５２の出力信号（注目画素の信号）ＥＺが比較的小さなレベルの信号であっても、その水平方向における前または後の画素の信号が比較的大きいレベルの信号であるときは、当該出力信号（注目画素の信号）を、比較的大きいレベルとする。
水平拡大回路５３の出力信号ＣＳは、色副搬送波周波数成分検出回路５０の出力信号として合成回路５５に出力される。
【００２１】
合成回路５５は、フレーム間静止判定回路４０の出力信号ＳＦと、色副搬送波周波数成分検出回路５０の出力信号ＣＳとを入力信号として、上記２つの入力信号のどちらか一方でも比較的大きい値（フレーム間静止判定回路４０の出力信号ＳＦ又は色副搬送波周波数成分検出回路５０の出力信号ＣＳが取り得る値の範囲の中で大きい値、例えば所定の閾値よりも大きい値）を取る場合に、その出力信号を比較的大きい値（合成回路５５の出力信号ＨＹが取り得る値の範囲の中で大きい値、例えば所定の閾値よりも大きい値）とする。
【００２２】
合成回路５５は、例えば、フレーム間静止判定回路４０の出力信号ＳＦと、色副搬送波周波数成分検出回路５０の出力信号ＣＳとを入力として、そのうちの大きい方（ＭＡＸ（ＳＦ，ＣＳ））を選択して出力する最大値回路で構成される。フレーム間静止判定回路４０の出力信号ＳＦと、色副搬送波周波数成分検出回路５０の出力信号ＣＳが１ビットの信号である場合には、上記の最大値回路は論理和回路で構成される。
【００２３】
上記のように、図１の動き検出回路はＮＴＳＣ方式に対応したものであり、差分演算回路１１においては１フレーム差の入力信号の差分を取った出力信号は、ＬＰＦ１２により低域成分を抽出することで輝度信号の動き成分として扱うことができる。一方、通常のＮＴＳＣ方式動き検出回路においては、２フレーム差の入力信号の差分を取ることで、輝度信号動き成分を補足する色信号動き成分を得ることができるが、図１に示すようにメモリを削減した動き検出回路においては２フレーム遅延した入力信号を得ることができないため、その代わりとなるよう、１フレーム差分信号に対し、ＢＰＦ１３により色色副搬送波周波数成分を抽出することで色信号の動き成分を得ている。
【００２４】
ただし、２フレーム差分信号の代わりに、１フレーム差分信号からＢＰＦ１３により色副搬送波周波数成分を抽出する構成の場合には、色副搬送波周波数付近の輝度信号、つまり斜め縞の信号が入力信号にある場合、動き信号として誤検出してしまう。これを防止するため、高域輝度成分抽出回路１４が色副搬送波周波数付近の輝度信号を検出した場合に動き検出信号生成回路１５に対し、動き検出信号ＭＦを小さくするよう制御している。
【００２５】
判定回路４３では、フレーム間差分信号の絶対値が、ある閾値ＤＺｔ以下の場合に、比較的大きいレベルの信号を出力する。また、孤立点除去回路４４では、各画素が前後の画素に対し１点のみ大きいレベルの信号となる場合に、その前後の画素と同程度の比較的小さいレベルの信号に変更して出力するものである。例えば前の画素と同じレベル、又は後の画素と同じレベル、或いは前の画素及び後の画素のうちの大きい方と同じレベルに変更する。これにより、フレーム間静止判定回路４０の出力は、静止輝度信号が入力された場合には、比較的大きいレベルの信号を出力し、静止色信号が入力された場合には、フレーム間差分信号の絶対値が比較的大きくなることから、比較的小さいレベルの信号を出力する。
【００２６】
色副搬送波周波数成分検出回路５０では、水平・垂直帯域通過フィルタ５１において入力信号を水平方向ならびに垂直方向にフィルタ処理を行なうことで、斜め縞となるような輝度信号を含む色副搬送波周波数成分を抽出し、絶対値回路５２で絶対値化している。
従って、色副搬送波周波数成分検出回路５０は、色副搬送波周波数成分が検出されたときに、比較的大きなレベルの信号を出力する。
従って、フレーム間静止判定回路４０と色副搬送波周波数成分検出回路５０により、静止輝度信号が入力された場合或いは斜め縞となるような輝度信号が入力された場合に、高域輝度成分抽出回路１４の出力は比較的大きいレベル（高域輝度成分抽出回路１４の出力信号ＨＹが取り得る値の範囲の中で大きい値、例えば所定の閾値よりも大きい値）の信号となる。
高域輝度信号成分抽出回路１４の出力信号が１ビット（２値）の信号である場合、「大きいレベル」は“１”であり、「小さいレベル」は“０”である。
【００２７】
例えば、高域輝度成分抽出回路１４の出力ビット数が１ビットの場合は、静止輝度信号が入力されたと判定された場合、又は斜め縞となるような輝度信号が入力された場合に“１”を出力し、その場合（“１”が出力された場合）、動き検出信号生成回路１５の出力である動き信号ＭＦは、ＬＰＦ１２及びＢＰＦ１３の出力が比較的大きいレベルであっても、小さいレベルの信号、あるいは“０”レベルの信号とされる。
また、高域輝度成分抽出回路１４の出力ビット数が複数ビットの場合は、静止輝度信号が入力されたと判定されたとき、又は斜め縞となるような輝度信号が入力されたと判定されたときに、高域輝度成分抽出回路１４が、フレーム間静止判定回路４０の出力信号及び／又は色副搬送波周波数成分検出回路５０の出力信号ＳＦ、ＣＳの大きさに応じた大きい値（信号ＳＦ、ＣＳが大きいほど大きい値）の信号を出力し、その場合、動き検出信号生成回路１５の出力である動き信号ＭＦは、ＬＰＦ１２及びＢＰＦ１３の出力が大きいレベルであっても、高域輝度成分抽出回路１４の出力ＨＹに応じて（高域輝度成分抽出回路１４の出力信号ＨＹが大きいほど）、段階的により小さいレベルの信号とされる。
【００２８】
以下、判定回路４３、孤立点除去回路４４、水平拡大回路５３、合成回路５５の動作につき場合を分けてより詳しく説明する。
フレーム間静止判定回路４０の判定回路４３は、上記のように、絶対値回路４２の出力信号ＤＺがある閾値ＤＺｔより小さいときに、比較的大きいレベルとなり、絶対値回路４２の出力信号ＤＺが上記の閾値ＤＺｔ以上であれば、比較的小さいレベルとなる信号を出力する。
【００２９】
判定回路４３が３値以上の信号、例えば２ビット（４値）の信号を出力するものである場合の各画素の入力信号の値と出力信号の値の関係は、例えば図４に示す通りであり、入力信号（絶対値回路４２の出力）ＤＺが所定の閾値ＤＺｔ以上では、判定回路４３の出力ＪＧは、“０”であり、入力信号（絶対値回路４２の出力）が上記の閾値ＤＺｔより小さい範囲では、判定回路４３の出力信号ＪＧは、絶対値回路４２の出力ＤＺの、上記の閾値ＤＺｔからの隔たりに応じた大きさを持つ（絶対値回路４２の出力ＤＺと閾値ＤＺｔとの差が大きいほど大きい値を持つ）。
判定回路４３が２値の信号、即ち１ビットの信号を出力するものである場合の各画素の入力信号の値と出力信号の値の関係は、例えば図５に示す通りであり、入力信号（絶対値回路４２の出力）ＤＺが所定の閾値ＤＺｔ以上では、判定回路４３の出力ＪＧは、“０”であり、入力信号（絶対値回路４２の出力）ＤＺが上記の閾値ＤＺｔより小さいときは、判定回路４３の出力信号ＪＧは、“１”である。
【００３０】
判定回路４３が３値以上の信号、例えば２ビット（４値）の信号を出力するものである場合の、孤立点除去回路４４の入力信号ＪＧの列と出力信号ＳＦの列の関係は、例えば図６（ａ）及び（ｂ）に示す通りである。同図及び後述の図７〜図９において、縦方向に延びた点線は各画素の信号と次の画素の信号との区切りを示す。判定回路４３から出力される各画素（注目画素）の信号ＪＧの出力）ＪＧが閾値ＪＧｔよりも大きく、その周囲の画素の信号（判定回路４３の出力）ＪＧがすべて閾値ＪＧｔ以下の場合には、注目画素を周りの画素（例えば前の画素または後の画素）と同じ値とする。図６（ａ）及び（ｂ）では、前の画素及び後の画素がともに閾値以下のときには、前の画素及び後の画素のうちの最も大きいものと同じ値にしている。そのようにする代わりに、前の画素と同じ値にしても良く、後の画素と同じにしても良い。また、上記閾値ＪＧｔと同じ値にすることとして良い。
判定回路４３が２値の信号、即ち１ビットの信号を出力するものである場合の、孤立点除去回路４４の入力信号ＪＧの列と出力信号ＳＦの列の関係は、例えば図７（ａ）及び（ｂ）に示す通りであり、判定回路４３から出力される各画素（注目画素）の信号ＤＺが“１”で、その周囲の画素の信号（判定回路４３の出力）ＤＺがすべて“０”の場合には、注目画素の信号を“０”とする。
【００３１】
絶対値回路５２の出力信号が３値以上の信号、例えば２ビット（４値）の信号である場合の、水平拡大回路５３の入力信号の列と出力信号の列の関係は、例えば図８（ａ）及び（ｂ）に示す通りであり、絶対値回路５２から出力される各画素（注目画素）の信号ＥＺが閾値ＥＺｔよりも小さく、その周囲の画素の信号（絶対値回路５２の出力）ＥＺのいずれかが閾値ＥＺｔ以上である場合には、その周囲の画素（例えば前の画素または後の画素）の値を注目画素の値とする。図８（ａ）及び（ｂ）では、前の画素及び後の画素の値がともに閾値ＥＺｔ以上のときには、前の画素及び後の画素のうちの最も小さいものと同じ値にすることとしている。そのようにする代わりに、前の画素と同じ値にしても良く、後の画素と同じ値にしても良い。また、上記の閾値ＥＺｔと同じ値にすることとしても良い。
絶対値回路５２の出力信号が２値の信号、即ち１ビットの信号を出力するものである場合の、水平拡大回路５３の入力信号の列と出力信号の列の関係は、例えば図９（ａ）及び（ｂ）に示す通りであり、絶対値回路５２から出力される各画素（注目画素）の信号ＥＺが“０”で、その周囲の画素の信号（絶対値回路５２の出力）ＥＺのいずれかが“１”の場合には、注目画素の信号を“１”とする。
【００３２】
合成回路５５は、上記のように、フレーム間静止判定回路４０の出力信号ＳＦと、色副搬送波周波数成分検出回路５０の出力信号ＣＳとを入力信号として、上記２つの入力信号のどちらか一方でも比較的大きい値を取る場合に、その出力信号ＨＹを比較的大きい値とする。
【００３３】
動き検出信号生成回路１５は、上記のように、ＬＰＦ１２の出力信号ＶＬとＢＰＦ１３の出力信号ＶＢを入力とし、高域輝度成分抽出回路１４の出力信号ＨＹがある閾値ＨＹｔ以下で、かつその２つの入力信号ＶＬ、ＶＢの値α、βのどちらかが０より大きい（α＞０又はβ＞０）場合、その出力信号ＭＦが０より大きい値（γ＞０）を持つよう合成し、高域輝度成分抽出回路１４の出力信号ＨＹが上記の閾値ＨＹｔより大きい値を持つ場合には、その出力信号ＭＦの値を、上記の２つの入力信号ＶＬ、ＶＢを上記のようにして合成した結果よりも小さい値（δ＜γ）、または０とする。
【００３４】
動き検出信号生成回路１５の出力ＭＦは動き検出信号として用いられる。
このような動作により、高域輝度成分抽出回路１４が色副搬送波周波数付近の輝度信号を検出した場合に動き検出信号ＭＦを小さくすることで、色副搬送波周波数付近の輝度信号、つまり斜め縞の信号が入力信号に含まれる場合、動き信号として誤検出してしまうのを防止している。
【００３５】
なお、図３の最大値回路１６の入力側に、信号ＶＬ、ＶＨにそれぞれ異なる係数ｋａ、ｋｂを掛ける係数乗算器を挿入し、最大値回路で係数乗算器の出力ｋａ×ＶＬ、ｋｂ×ＶＢのうちの大きい方（ＭＡＸ（（ｋａ×ＶＬ），（ｋｂ×ＶＢ））を求めるようにしても良い。
また、最大値回路１６の代わりに加算回路を用いても良い。この場合にも入力側に係数乗算器を設けても良い。
さらに、比較回路１７を設けずに、乗算器１８の代わりに減算回路を設け、最大値回路１６（又は加算回路）の出力から、高域輝度成分抽出回路１４の出力信号ＨＹに応じた値を減算するようにしても良い。このような構成においても、高域輝度成分抽出回路１４の出力信号ＨＹが１ビットの信号である場合には、該信号ＨＹが「０」のときには、減算回路における減算を行わず（「０」を減算し）、該信号ＨＹが「１」のときには、減算回路において、所定の値を減算することとしても良い。このような構成の場合においては、上記減算回路が、高域輝度成分抽出回路１４の出力信号ＨＹに応じて最大値回路１６（又は加算回路）の出力を変更する手段が構成されている。
【００３６】
また、上記のように、合成回路５５を最大値回路のみで構成する代わりに、最大値回路の入力側に、フレーム間静止判定回路４０の出力信号ＳＦに係数ｋｄを掛ける係数乗算器と、色副搬送波周波数成分検出回路５０の出力信号ＣＳに係数ｋｅを掛ける係数乗算器とを挿入し、これらの係数乗算器の出力（ｋｄ×ＳＦ、ｋｅ×ＣＳ）のうちの最大値を最大値回路で求めるようにしても良い。
また最大値回路の代わりに加算回路を設けても良い。この場合にも入力側に係数乗算器を挿入しても良い。
【００３７】
実施の形態２．
図１０はこの発明の実施の形態２の輝度信号色信号分離回路を示すブロック図である。
図示の輝度信号色信号分離回路は、ＮＴＳＣ複合カラーテレビジョン信号ＶＳ０の輝度信号と色信号を分離するものであり、１フレーム遅延回路３と、２次元色信号抽出回路（２Ｄフィルタ）２と、動き検出回路１０と、差分演算回路４と、選択手段５と、差分演算回路６とを有する。
【００３８】
輝度信号色信号分離回路に入力された複合カラーテレビジョン信号ＶＳ０は、１フレーム遅延回路３と、２Ｄフィルタ２と、動き検出回路１０と、差分演算回路６とに入力される。
１フレーム遅延回路３は、複合カラーテレビジョン信号ＶＳ０を１フレーム期間遅延させて出力するものであり、例えば１フレーム分の容量を持つメモリで構成される。１フレーム遅延回路３の出力信号は、差分演算回路４と動き検出回路１０に入力される。
【００３９】
２Ｄフィルタ２は、同じフィールド内の画素信号同士の演算に基づき色信号を抽出する。
２Ｄフィルタ２の出力信号は、選択手段５に入力される。差分演算回路４は、複合カラーテレビジョン信号から１フレーム遅延信号を減算することにより、色信号を抽出するものであり、１フレーム遅延回路３と差分演算回路４とで３次元色信号抽出回路７が構成されている。差分演算回路４の出力信号は、選択手段５に入力される。差分演算回路６により、輝度信号抽出回路が構成されている。
【００４０】
動き検出回路１０としては、図１に示される実施の形態１の動き検出回路が用いられており、１フレーム遅延回路３の出力が上記した１フレーム遅延信号ＶＳ１として動き検出回路１０に入力される。
動き検出回路１０から出力される、動き検出結果を示す信号ＭＦは選択手段５に送られる。選択手段５は、動き検出回路１０から出力される動き検出結果を示す信号ＭＦに基づいて２Ｄフィルタ２の出力又は差分演算回路４の出力のいずれかを選択して出力する。具体的には、動き検出結果を示す信号ＭＦが所定の閾値よりも大きいとき（動きが大きいこと、即ち動画であることを示すとき）には、差分演算回路４の出力を選択し、動き検出結果を示す信号ＭＦが小さいとき（動きが小さいこと、即ち静止画であることを示すとき）には、２Ｄフィルタ２の出力を選択する。
選択手段５の出力信号は、輝度信号色信号分離回路の色（Ｃ）信号出力として出力される一方、差分演算回路６に入力される。差分演算回路６において、複合カラーテレビジョン信号ＶＳ０から選択手段５の出力を減算することで得られる出力信号は、輝度信号色信号分離回路の輝度（Ｙ）信号出力として出力される。
【００４１】
実施の形態２の輝度信号色信号分離回路内の動き検出回路１０は、実施の形態１と同様に動作する。ＮＴＳＣ方式においては、搬送色信号の位相が同位相となる２フレーム差信号を得て動き検出をするため、通常１フレーム遅延回路を２個必要とし、１フレーム遅延回路を輝度信号色信号分離回路に対し１個の構成とすると、高域輝度成分を色の動きとして誤検出してしまうが、本実施の形態では、高域輝度成分抽出回路１４により動き検出の誤検出を防止することで、正確な輝度信号色信号分離を行うことができる。
【００４２】
実施の形態３．
図１１は、この発明の実施の形態３の動き検出回路を示す。図示の動き検出回路は、図１の動き検出回路と同様であるが、複合カラーテレビジョン信号ＶＳ０と、該複合カラーテレビジョン信号を２フレーム期間遅延させた信号（２フレーム遅延信号）ＶＳ２とを入力とする点で異なる。
【００４３】
図１１の高域輝度成分抽出回路１４は、例えば図１２に示されるように構成されている。図１２に示される高域輝度成分抽出回路１４は、図２に示されるものと概して同じであるが、差分演算回路４１が、複合カラーテレビジョン信号ＶＳ０及び２フレーム遅延信号ＶＳ２の差分を求める点で異なる。
【００４４】
ＰＡＬ方式においては、搬送色信号の位相が同位相となる４フレーム差信号を得て動き検出をするので、ＮＴＳＣ方式においては、１フレーム遅延信号ＶＳ１を用いるところを、代わりに２フレーム遅延信号ＶＳ２を用いる。
【００４５】
実施の形態４．
図１３はこの発明の実施の形態４の輝度信号色信号分離回路を示すブロック図である。
図示の度信号色信号分離回路は、ＰＡＬ複合カラーテレビジョン信号の輝度信号と色信号とを分離するためのものであり、図１０に示すものと概して同じであるが、２Ｄフィルタ２、１フレーム遅延回路３及び動き検出回路１０の代わりに、２Ｄフィルタ２Ａ、２フレーム遅延回路３Ａ及び動き検出回路１０ａが設けられ、差分演算回路４及び動き検出回路１０に、１フレーム遅延信号ＶＳ１の代わりに、２フレーム遅延信号ＶＳ２が供給される点で異なる。２フレーム遅延手段３Ａと差分演算回路４とで実施の形態４の３次元色信号抽出回路７が構成されている。
動き検出回路１０としては、図１１に示される実施の形態３の動き検出回路が用いられており、２フレーム遅延回路３Ａの出力が上記した２フレーム遅延信号ＶＳ２として動き検出回路１０ａに入力される。
【００４６】
ＰＡＬ方式においては、搬送色信号の位相が同位相となる４フレーム差信号を得て動き検出をするため、通常２フレーム遅延回路を２個必要とし、２フレーム遅延回路（３Ａ）を輝度信号色信号分離回路に対し１個の構成とすると、高域輝度成分を色の動きとして誤検出してしまうが、本実施の形態では、高域輝度成分抽出回路１４により動き検出の誤検出を防止することで、正確な輝度信号色信号分離を行うことができる。
【００４７】
実施の形態５．
図１４は、この発明の実施の形態５の動き検出回路を示すブロック図である。
図示の動き検出回路は、図１１に示す動き検出回路と概して同じであるが、図１１の高域輝度成分抽出回路１４の代わりに、高域輝度成分抽出回路１４Ａが設けられ、この高域輝度成分抽出回路１４Ａに、複合カラーテレビジョン信号ＶＳ０及び２フレーム遅延信号ＶＳ２のみならず、１フレーム遅延信号ＶＳ１も入力される。
図１５は、図１４の高域輝度成分抽出回路１４Ａの一例を示す図である。図示の高域輝度成分抽出回路１４Ａは、概して図１２の高域輝度成分抽出回路１４と同じであるが、差分演算回路４１、絶対値回路４２、判定回路４３の代わりに、差分演算部６１、絶対値化部６２、判定回路６３が設けられている点で異なる。
【００４８】
図１６は図１５の高域輝度成分抽出回路１４Ａにおけるフレーム間静止判定回路４０Ａの一例を示すブロック図である。フレーム間静止判定回路４０Ａは、差分演算部６１と、絶対値化部６２と、判定回路６３と、孤立点除去回路４４とを有する。
差分演算部６１は、第１の差分演算回路６１ａと、第２の差分演算回路６１ｂと、第３の差分演算回路６１ｃとを有し、絶対値化部６２は、第１の絶対値回路６２ａと、第２の絶対値回路６２ｂと、第３の絶対値回路６２ｃとを有し、判定回路６３は、最大値回路６４と比較回路６５とを有する。
【００４９】
第１の差分演算回路６１ａは、複合カラーテレビジョン信号（０フレーム遅延信号）ＶＳ０と１フレーム遅延信号ＶＳ１の差分値を求めて出力し、第２の差分演算回路６１ｂは、０フレーム遅延信号ＶＳ０と２フレーム遅延信号ＶＳ２の差分値を求めて出力し、第３の差分演算回路６１ｃは、１フレーム遅延信号ＶＳ１と２フレーム遅延信号ＶＳ２の差分値を求めて出力する。
【００５０】
第１の絶対値回路６２ａは、第１の差分演算回路６１ａの出力を絶対値化し、第２の絶対値回路６２ｂは、第２の差分演算回路６１ｂの出力を絶対値化し、第３の絶対値回路６２ｃは、第３の差分演算回路６１ｃの出力を絶対値化する。
【００５１】
第１の差分演算回路６１ａと第１の絶対値回路６２ａとで、複合カラーテレビジョン信号ＶＳ０と１フレーム遅延信号ＶＳ１の差分値の絶対値を算出する第１の差分絶対値演算回路が構成され、第２の差分演算回路６１ｂと第２の絶対値回路６２ｂとで、複合カラーテレビジョン信号ＶＳ０と２フレーム遅延信号ＶＳ２の差分値の絶対値を算出する第２の差分絶対値演算回路が構成され、第３の差分演算回路６１ｃと第３の絶対値回路６２ｃとで、１フレーム遅延信号ＶＳ１と２フレーム遅延信号ＶＳ２の差分値の絶対値を算出する第３の差分絶対値演算回路が構成されている。
【００５２】
最大値回路６４は、絶対値化回路６２ａ〜６２ｃの出力の内の最大のものを選択して出力する。
比較回路６５は、最大値回路６４の出力信号ＭＸが所定の閾値ＭＸｔより小さいときに、比較的大きいレベル（比較回路６５の出力信号ＪＧが取り得る値の範囲の中で大きい値、例えば所定の閾値よりも大きい値）となり、最大値回路６４の出力信号ＭＸが上記の閾値以上であれば、比較的小さいレベル（比較回路６５の出力信号ＪＧが取り得る値の範囲の中で小さい値、例えば所定の閾値よりも小さい値）となる信号ＪＧを出力する。
【００５３】
比較回路６５の各画素の入力信号ＭＸと出力信号ＪＧの関係は、例えば判定回路４３について図４及び図５を参照して説明したのと同様である。但し、信号ＤＺ及び閾値ＤＺｔを、信号ＭＸ及び閾値ＭＸｔに置き換えて考えるべきである。
【００５４】
図１６のフレーム間静止判定回路４０Ａにおいては、例えば実施の形態１におけるフレーム間静止判定回路４０（図２）に対し、差分演算回路６１ａと差分演算回路６１ｂと差分演算回路６１ｃを３個有することにより、３種のフレーム差信号を出力し、絶対値回路６２ａと絶対値回路６２ｂと絶対値回路６２ｃを３個有することにより、￥３種の絶対値信号を出力し、最大値回路６４と比較回路６５とを有する判定回路６３に入力するようにしたものである。これによりフレーム間静止判定に用いるフレーム差信号の絶対値が多くなったため、より正確な静止判定ができる。
【００５５】
実施の形態６．
図１７はこの発明の実施の形態６の輝度信号色信号分離回路を示すブロック図である。図示の度信号色信号分離回路は、ＰＡＬ複合カラーテレビジョン信号の輝度信号と色信号とを分離するためのものであり、図１３に示すものと概して同じであるが、２フレーム遅延回路３Ａの代わりに、第１及び第２の１フレーム遅延回路３１および３２が設けられ、動き検出回路１０として、図１４に示される動き検出回路が設けられ、複合カラーテレビジョン信号ＶＳ０及び２フレーム遅延信号ＶＳ２のみならず１フレーム遅延信号ＶＳ１も動き検出回路１０の高域輝度成分抽出回路１４Ａに供給されている。
図１７に示される動き検出回路１０内の高域輝度成分抽出回路１４Ａは、例えば図１５及び図１６を参照して説明されたものが用いられている。
【００５６】
実施の形態５について述べたように、図１６のフレーム間静止判定回路４０Ａにおいては、例えば実施の形態１におけるフレーム間静止判定回路４０（図２）に対し、差分演算回路６１ａと差分演算回路６１ｂと差分演算回路６１ｃを３個有することにより、３種のフレーム差信号を出力し、絶対値回路６２ａと絶対値回路６２ｂと絶対値回路６２ｃを３個有することにより、３種の絶対値信号を出力し、判定回路４３あるいは判定回路６３に入力するようにしたものである。これによりフレーム間静止判定に用いるフレーム差信号の絶対値が多くなったため、より正確な静止判定ができ、従って、輝度信号と色信号の分離を適確に行うことができる。
【００５７】
実施の形態７．
図１８は実施の形態７の輝度信号色信号分離回路の動き検出回路で用いられる高域輝度成分抽出回路１４Ｂを示すブロック図である。図示の高域輝度成分抽出回路１４Ｂは、概して図１５の高域輝度成分抽出回路１４Ａと同じであるが、絶対値化部６２と判定回路６３の間に孤立点除去部４７が挿入されている点で異なる。
図１９は図１８の高域輝度成分抽出回路１４Ｂにおけるフレーム間静止判定回路４０Ｂの一例を詳細に示すブロック図である。
図示のフレーム間静止判定回路４０Ｂは、概して図１６のフレーム間静止判定回路４０Ａと同じであるが、図１８で述べた通り、絶対値化部６２と判定回路６３の間に孤立点除去部４７が挿入されている点で異なり、孤立点除去部４７が、孤立点除去回路４７ａ〜４７ｃを有する点で異なる。
孤立点除去回路４７ａ〜４７ｃはそれぞれ、絶対値回路６２ａ〜６２ｃの出力中の孤立点を除去する。
例えば、孤立点除去回路４７ａは、絶対値回路６２ａの出力信号（注目画素の信号）が大きなレベルの信号であっても、その水平方向における前及び後の画素の信号が小さいレベルの信号であるときは、当該出力信号（注目画素の信号）を、小さなレベルとするものである。
【００５８】
孤立点除去回路４７ａの入力信号ＤＺａの列と出力信号ＫＪａの列の関係は、例えば、孤立点除去回路４４について図６及び図７を参照して説明したのと同様である。但し、信号ＪＧ、ＳＦ、及び閾値ＪＧｔを、それぞれ信号ＤＺａ、ＫＪａ、及び閾値ＤＺａｔに置き換えて考えるべきである。
孤立点除去回路４７ｂ、及び孤立点除去回路４７ｃは、それぞれ絶対値回路６２ｂ及び６２ｃの出力ＤＺｂ及びＤＺｃに対し、閾値ＤＺａｔと同様の閾値ＤＺｂｔ及びＤＺｃｔを用いて孤立点除去回路４７ａと同様の処理を行う。
【００５９】
図１８及び図１９の高域輝度成分抽出回路１４Ｂにおいては、例えば実施の形態６における高域輝度成分抽出回路１４Ａ（図１５）に対し、判定回路４３の出力に対し孤立点の除去を行うのみならず、絶対値化部６２の出力に対しも孤立点の除去を行うようにしたものである。入力信号にノイズが混入している場合には、ノイズ成分をフレーム間差信号として誤検出し、本来の静止信号を静止と判定しにくくなるが、上記構成のように孤立点の除去を判定回路の前にも配することで、ノイズ成分をフレーム間差信号として誤検出せずに、より正確な静止判定を行うことができる。
【００６０】
実施の形態３、実施の形態５、及び実施の形態７の動き検出回路にも、実施の形態１について説明したのと同様の変形、例えば図３を参照して説明したのと同様の変形を加えることができる。
【００６１】
上記実施の形態においては、動き検出回路１０からの出力信号に基づき、２次元色信号抽出回路２からの出力信号と３次元色信号抽出回路からの出力信号の一方を選択して出力する選択手段を用いているが、動き検出回路からの出力信号を多ビット化し、多ビット化された動き検出信号に基づき、２次元色信号抽出回路からの出力信号と３次元色信号抽出回路からの出力信号の混合比を決め出力するような混合手段を有する構成としても良い。上記の実施の形態で用いられている選択手段は、混合手段の一種であり、混合比を１：０としたものであると考えることができ、特許請求の範囲における「混合手段」はそのように解釈されるべきである。
【００６２】
実施の形態８．
また、上記実施の形態においては、２次元色信号抽出回路からの出力信号（色信号）と３次元色信号抽出回路７からの出力信号（色信号）の一方を選択して、選択された色信号を複合カラーテレビジョン信号から差し引くことで輝度信号を抽出しているが、２次元色信号抽出回路３からの出力信号（色信号）と３次元色信号抽出回路７からの出力信号（色信号）のそれぞれを複合カラーテレビジョン信号から差し引くことで、それぞれの輝度信号を抽出し、色信号と輝度信号のそれぞれについて、動き検出回路１０からの動き検出信号に基づき、２次元処理の結果得られる信号と３次元処理の結果得られる信号を混合して出力する構成としても良い。この考えにより図１０の実施の形態を変形した場合の構成（実施の形態８）を図２０に示す。
【００６３】
図２０に示す輝度信号色信号分離回路は、概して図１０の輝度信号色信号分離回路と同じであるが、差分演算回路６の代わりに、差分演算回路６ａ及び６ｂが設けられ、選択手段５の代わりに混合回路５ａ及び５ｂが設けられ、動き検出回路１０から出力される動き検出信号ＭＦが、混合手段５ｙ及び５ｃに供給される。
差分演算回路６ａは、２Ｄフィルタ２から出力される色信号Ｃａを、複合カラーテレビジョン信号ＶＳ０から減算して、輝度信号Ｙａを出力する。差分演算回路６ｂは、３次元色信号抽出回路７から出力される色信号Ｃｂを、複合カラーテレビジョン信号ＶＳ０から減算して、輝度信号Ｙｂを出力する。
混合手段５ｙは、動き検出回路１０からの動き検出信号ＭＦに基づいて、輝度信号Ｙａ又はＹｂを混合して出力する。混合手段５ｃは、動き検出回路１０からの動き検出信号ＭＦに基づいて、色信号Ｃａ又はＣｂを混合して出力する。
【図面の簡単な説明】
【００６４】
【図１】この発明の実施の形態１の動き検出回路を示すブロック図である。
【図２】図１の動き検出回路で用いられる高域輝度信号検出回路１４の一例を示すブロック図である。
【図３】図１の動き検出回路で用いられる動き検出信号生成回路１５の一例を示すブロック図である。
【図４】図２の判定回路４３が４値の信号を出力するものである場合の各画素の入力信号の値と出力信号の値の関係を示すグラフである。
【図５】図２の判定回路４３が２値の信号を出力するものである場合の各画素の入力信号の値と出力信号の値の関係を示すグラフである。
【図６】（ａ）及び（ｂ）は、図２の判定回路４３が４値の信号を出力するものである場合の、孤立点除去回路４４の入力信号ＪＧの列と出力信号ＳＦの列の関係を示す図である。
【図７】（ａ）及び（ｂ）は、図２の判定回路４３が２値の信号を出力するものである場合の、孤立点除去回路４４の入力信号ＪＧの列と出力信号ＳＦの列の関係を示す図である。
【図８】（ａ）及び（ｂ）は、図２の絶対値回路５２の出力信号が４値の信号である場合の、水平拡大回路５３の入力信号の列と出力信号の列の関係を示す図である。
【図９】（ａ）及び（ｂ）は、図２の絶対値回路５２の出力信号が２値の信号である場合の、水平拡大回路５３の入力信号の列と出力信号の列の関係を示す図である。
【図１０】この発明の実施の形態２の輝度信号色信号分離回路を示すブロック図である。
【図１１】この発明の実施の形態３の動き検出回路を示すブロック図である。
【図１２】図１１の動き検出回路で用いられる高域輝度成分抽出回路１４の一例を示すブロック図である。
【図１３】この発明の実施の形態４の輝度信号色信号分離回路を示すブロック図である。
【図１４】この発明の実施の形態５の動き検出回路を示すブロック図である。
【図１５】図１４の高域輝度成分抽出回路１４Ａの一例を示す図である。
【図１６】図１５の高域輝度成分抽出回路１４Ａにおけるフレーム間静止判定回路４０Ａの一例を示すブロック図である。
【図１７】この発明の実施の形態６の輝度信号色信号分離回路を示すブロック図である。
【図１８】実施の形態７の輝度信号色信号分離回路の動き検出回路で用いられる高域輝度成分抽出回路１４Ｂを示すブロック図である。
【図１９】図１８の高域輝度成分抽出回路１４Ｂにおけるフレーム間静止判定回路４０Ｂの一例を詳細に示すブロック図である。
【図２０】この発明の実施の形態８の輝度信号色信号分離回路を示すブロック図である。
【符号の説明】
【００６５】
２、２Ａ  ２次元色抽出回路（２Ｄフィルタ）、  ３、３Ａ  １フレーム遅延回路、  ４  差分演算回路、  ５  選択手段、  ５ａ、５ｂ  混合手段、  ６、６ｃ、６ｙ  差分演算回路、  ７  ３次元色抽出回路、  １０  動き検出回路、  １１  差分演算回路、  １２  低域通過フィルタ（ＬＰＦ）、  １３  帯域通過フィルタ（ＢＰＦ）、  １４  高域輝度成分抽出回路、  １５  動き検出信号生成回路、  ３１、３２  １フレーム遅延回路、  ４０、４０Ａ、４０Ｂ  フレーム間静止判定回路、  ４１  差分演算回路、  ４２  絶対値回路、  ４３  判定回路、  ４４  孤立点除去回路、  ４６  差分絶対値演算回路、  ４７  孤立点除去部、  ４７ａ、４７ｂ、４７ｃ  孤立点除去回路、  ５０  色副搬送波周波数成分検出回路、  ５１  水平・垂直帯域通過フィルタ、  ５２  絶対値回路、  ５３  水平拡大回路、  ５５  合成回路、  ６１  差分演算部、  ６１ａ、６１ｂ、６１ｃ  差分演算回路、  ６２  絶対値化部、  ６２ａ、６２ｂ、６２ｃ  絶対値回路、  ６３  判定回路、  ６４  最大値回路、  ６５  比較回路。
【図１】
2007158991.tif 000003
【図２】
2007158991.tif 000004
【図３】
2007158991.tif 000005
【図４】
2007158991.tif 000006
【図５】
2007158991.tif 000007
【図６】
2007158991.tif 000008
【図７】
2007158991.tif 000009
【図８】
2007158991.tif 000010
【図９】
2007158991.tif 000011
【図１０】
2007158991.tif 000012
【図１１】
2007158991.tif 000013
【図１２】
2007158991.tif 000014
【図１３】
2007158991.tif 000015
【図１４】
2007158991.tif 000016
【図１５】
2007158991.tif 000017
【図１６】
2007158991.tif 000018
【図１７】
2007158991.tif 000019
【図１８】
2007158991.tif 000020
【図１９】
2007158991.tif 000021
【図２０】
2007158991.tif 000022